(57)【要約】      （修正有）【課題】ケーブルの曲げや外部からの衝撃により簡単に外れることがなく、また簡単に取り付け使用できるケーブル用アクセサリーを提供する。【解決手段】アクセサリーは、ケーブルにおけるコネクタ、プラグ等の近傍所定部位を挟み込んだ状態で取り付ける取付部材２と、コネクタ、プラグ等を覆い、取付部材に嵌め合わせる空洞状の連結部１１を有する装飾部材１０とを備える。取付部材は、ケーブルを挟む一対の挟持体３から成り、挟持体の相互の合わせ面に、挟持溝４と、挟持溝の両側に互いに嵌め合わせられる嵌め合い手段５とを有する。嵌め合い手段は、挟持溝の一方の側の嵌合ピン６と、他方の側の嵌合穴７とで構成する。また、取付部材の外側面には多数の突条８を配設すると共に、装飾部材に設けた連結部の内周面には突条に噛み合う噛み合い溝１２を形成する。【選択図】図１
0003221688.tif 000002
【実用新案登録請求の範囲】
【請求項１】
ケーブルにおけるコネクタ、プラグ等の近傍の所定部位を挟み込んだ状態で取り付けられる取付部材と、コネクタ、プラグ等を覆い、取付部材に嵌め合わせられる装飾部材とを備えて成ることを特徴とするケーブル用アクセサリー。
【請求項２】
取付部材は、ケーブルを挟むようにした一対の挟持体から成り、この挟持体における相互の合わせ面に、ケーブルを嵌め入れる挟持溝と、この挟持溝の両側に互いに嵌め合わせられる嵌合ピン、嵌合穴による嵌め合い手段とを形成してある請求項１に記載のケーブル用アクセサリー。
【請求項３】
嵌め合い手段は、挟持体における合わせ面において、挟持溝のいずれか一方の側では嵌合ピンを、いずれか他方の側では嵌合穴を設けて成る請求項２に記載のケーブル用アクセサリー。
【請求項４】
装飾部材は、種々なキャラクターそれぞれを模した外形を備え、取付部材に嵌め合わせる空洞状の連結部が形成されている請求項１乃至３のいずれかに記載のケーブル用アクセサリー。
【請求項５】
取付部材の外側面には多数の突条を配設すると共に、装飾部材の連結部の内周面には突条に噛み合う噛み合い溝を形成してある請求項１乃至４のいずれかに記載のケーブル用アクセサリー。
【請求項６】
連結部は、取付部材の外径に比しやや小径にした内径を有した空洞状に形成してある請求項４または５に記載のケーブル用アクセサリー。
【考案の詳細な説明】
【技術分野】
【０００１】
この考案は例えばパソコンに接続される各種ケーブル、家庭用電気機器における電源ケーブル等の各種のケーブルのコネクタ部あるいはプラグ等が接続されているケーブルに取り付けられることで、これらのコネクタ部、プラグ等を装飾できるようにしたケーブル用アクセサリーに関する。
【背景技術】
【０００２】
近時のいわゆるデジタル社会の到来により、各種の電子機器が提案、使用されており、これらの電子機器その他との接続には携帯用端末機においても例えばＵＳＢケーブルが使用されることが多い。このＵＳＢケーブルは、規格化されていることで電子機器と接続するには極めて簡易であり、取り扱いも容易であっても、そのコネクタ部、ケーブルそれぞれはそのままの無機質な外観で使用されている。
【０００３】
こうしたことから、ケーブル等のアクセサリーとして例えば特許文献１に示されるケーブル用アクセサリーが提案されている。この特許文献１によるアクセサリーは、内部にケーブル、コネクタ部を収納できる空間を備えて外観を虎のような動物を模した形状とあることで、作業時、作業場所等の雰囲気を和らげるのに役立てるようにしている。
【先行技術文献】
【特許文献】
【０００４】
【特許文献１】意匠登録第１５９９８７９号公報
【考案の概要】
【考案が解決しようとする課題】
【０００５】
ところが、この特許文献１によるアクセリーでは、ケーブル、コネクタ部等に装着するに際し、アクセサリー本体の底部に開口形成したスリット状の切込部を強制的に拡開し、ケーブル、コネクタ部を覆うとするから、例えば覆われているケーブル部分を曲げてしまうと覆っている切込部からケーブルが抜け出てしまうことがあった。
【０００６】
そこでこの考案は叙上のような従来存した諸事情に鑑み案出されたもので、アクセサリーの取付部分におけるケーブルの曲げや外部からの衝撃その他によっても簡単に外れてしまうことがないようにし、また簡単に取り付け使用できるようにしたケーブル用アクセサリーを提供することにある。
【課題を解決するための手段】
【０００７】
上述した課題を解決するため、この考案にあっては、ケーブルＣにおけるコネクタ、プラグ等の近傍の所定部位を挟み込んだ状態で取り付けられる取付部材２と、コネクタ、プラグ等を覆い、取付部材２に嵌め合わせられる装飾部材１０とを備えて成ることを特徴とする。
取付部材２は、ケーブルＣを挟むようにした一対の挟持体３から成り、この挟持体３における相互の合わせ面に、ケーブルＣを嵌め入れる挟持溝４と、この挟持溝４の両側に互いに嵌め合わせられる嵌合ピン６、嵌合穴７による嵌め合い手段５とを形成することで構成することができる。
嵌め合い手段５は、挟持体３における合わせ面において、挟持溝４のいずれか一方の側では嵌合ピン６を、いずれか他方の側では嵌合穴７を設けて構成することができる
装飾部材１０は、種々なキャラクターそれぞれを模した外形を備え、取付部材２に嵌め合わせる空洞状の連結部１１が形成されて構成することができる。
取付部材２の外側面には多数の突条８を配設すると共に、装飾部材１０の連結部１１の内周面には突条８に噛み合う噛み合い溝１２を形成して構成することができる。
連結部１１は、取付部材２の外径に比しやや小径にした内径を有した空洞状に形成することができる。
【０００８】
以上のように構成されたこの考案に係るケーブル用アクセサリーにあって、所定のケーブルＣにおけるコネクタ、プラグ等の近傍に取り付けた取付部材２に嵌め合わせた装飾部材１０がコネクタ、プラグ等を覆い、装飾させる。
取付部材２の挟持体３は、挟持溝４がケーブルＣ自体を嵌め入れさせ、嵌め合い手段５の嵌合ピン６、嵌合穴７が対状の挟持体３相互を一体化させることでケーブルＣをしっかりと挟み込んでケーブルＣに取り付けられる。
取付部材２の突条８は、取付部材２に嵌め合わせる装飾部材１０の連結部１１と噛み合い、例えばコネクタ、プラグ等を覆わせ、これらを装飾させる。
【考案の効果】
【０００９】
この考案は以上説明したように構成されているため、ケーブルにおけるコネクタ、プラグ等の近傍部位に取り付けられることでコネクタ、プラグ等を覆い、例えば電子機器利用による作業中における事務の無味乾燥的な環境においても装飾されたことによる雰囲気を楽しむことができる。また、コネクタ、プラグ等を覆うことで塵埃その他の夾雑物の付着を防止し、安全性を高めることができる。
【００１０】
すなわちこれはこの考案において、ケーブルＣにおけるコネクタ、プラグ等の近傍の所定部位を挟み込んだ状態で取り付けられる取付部材２と、コネクタ、プラグ等を覆い、取付部材２に嵌め合わせられる装飾部材１０とを備えて成るからである。これによって、コネクタ、プラグ等を装飾でき、また安全性を向上できる。
【００１１】
また、取付部材２は、嵌合ピン６、嵌合穴７による嵌め合い手段５によって相互に嵌め合わせられる対状の挟持体３によってケーブルＣに挟持溝４でしっかりとケーブルＣに取り付けることができる。
【００１２】
装飾部材１０は、その連結部１１の噛み合い溝１２が、ケーブルＣに取り付けた取付部材２の突条８と噛み合い状となって取付部材２に固定され、コネクタ、プラグ等を確実に覆うことできる。
【００１３】
尚、上記の課題を解決するための手段、考案の効果の項それぞれにおいて付記した符号は、図面中に記載した構成各部を示す部分との参照を容易にするために付した。この考案は、これらの記載、図面中の符号等によって示された構造・形状等に限定されない。
【図面の簡単な説明】
【００１４】
【図１】この考案を実施するための一形態を示す一部切欠分解斜視図である。
【図２】同じく使用状態時の断面図である。
【図３】同じくケーブルに取り付けるときの斜視図である。
【考案を実施するための形態】
【００１５】
以下、図面を参照してこの考案を実施するための一形態を説明すると、図において示される符号１は所定のケーブルＣに取り付けられる、この考案に係るアクセサリーである。アクセサリー１自体は、ケーブルＣを挟み込み状態で取り付けられる取付部材２と、ケーブルＣに接続されているコネクタ、プラグ等を覆うようにして取付部材２の外側に嵌め合わせる装飾部材とから成る。
【００１６】
取付部材２は、ケーブルＣを挟むようにした一対の挟持体３から成り、この挟持体３における相互の合わせ面に、ケーブルＣを嵌め入れる挟持溝４と、この挟持溝４の両側に互いに嵌め合わせられる嵌合ピン６、嵌合穴７による嵌め合い手段５とを形成してある。
【００１７】
挟持溝４は、ケーブルＣの外形に沿う溝断面に形成されていて、ケーブルＣの外径が例えば円形状であると、挟持溝４の断面はほぼ半円形状を呈し、好ましくはケーブルＣの外径の約１／２の深さに比しやや浅くして形成することで好ましくは強制的に嵌め合わせられるようにする。
【００１８】
嵌め合い手段５は、挟持体３における合わせ面において、挟持溝４のいずれか一方の側では嵌合ピン６を、いずれか他方の側では嵌合穴７を設けることで、一対の挟持体３自体それぞれを同一の形状、構造とすることができる。
【００１９】
また、対状となる挟持体３は、図示を省略したが、いずれか一方の側縁同士をヒンジ部にて連結することで揺動開閉可能にした一体状に形成することも可能であり、こうすることで、取扱いを容易にし、また紛失等の防止に役立つ。
【００２０】
図示のように、挟持体３の外側面には、ケーブルＣの配線方向に沿う挟持溝４に対してほぼ直交するようにして複数の突条８を配設してあり、この複数の突条８によって装飾部材１０を嵌め合わせたときにやや強制的にでも装飾部材１０の空洞状の連結部１１の内周面と嵌め合わせられて装飾部材１０の抜脱を防止するようにしてある。
【００２１】
装飾部材１０は、取付部材２にやや強制的にも嵌め合わせられることでケーブルＣに接続されているコネクタやプラグ等を覆い、これらを装飾するのであり、例えば種々なキャラクターそれぞれを模した外形を備え、取付部材２に嵌め合わせる孔状の連結部１１が形成されている。連結部１１は、取付部材２の外径に比しやや小径にした内径を有した空洞状に形成されており、取付部材２の突条８に噛み合う複数の噛み合い溝１２が配列形成されている。
【００２２】
そしてまた、この連結部１１によって取付部材２に嵌め合わせられるとき、連結部１１の内周面に形成してある噛み合い溝１２が取付部材２の外側面に形成してある突条８に引っ掛かるようにすることで、装飾部材１０が容易には抜脱されないようにしている。
【００２３】
次にこれの使用の一例を説明すると、図３に示すように取付部材２をケーブルＣにおけるコネクタ、プラグ等の近傍部位に対状の挟持体３にて挟み込むようにして取り付け、その後、コネクタ、プラグ等を覆うようにして装飾部材１０を連結部１１にて取付部材２に嵌め合わせる。また、連結部１１による取付部材２に対する嵌め合わせには、取付部材２の突条８に連結部１１の噛み合い溝１２を噛み合わせる。こうすることでコネクタ、プラグ等が装飾部材１０にて装飾されたものとなる。
【符号の説明】
【００２４】
Ｃ…ケーブル
１…アクセサリー
２…取付部材
３…挟持体
４…挟持溝
５…嵌め合い手段
６…嵌合ピン
７…嵌合穴
８…突条
１０…装飾部材
１１…連結部
１２…噛み合い溝
【図１】
0003221688.tif 000003
【図２】
0003221688.tif 000004
【図３】
0003221688.tif 000005